(57)【要約】【課題】掛布団と敷布団との間の空間の全体に均等に温風を供給することが容易な布団乾燥機として使用することができ、なおかつ、他の用途にも使用することができる送風装置を提供する。【解決手段】送風装置１０１は、本体１と、ホース４と、ホース４の先端に接続されているヘッド２と、ヘッド受け部材３とを備える。ヘッド２は、中央下側に配置された受入れ口と、上から見たときに外側に向かって送風可能な吹出し口２２とを有し、ヘッド受け部材３は、ヘッド２を受け入れたときにはヘッド２の吹出し口２２の一部を塞ぐ壁６を備える。ヘッド２およびヘッド受け部材３は、ヘッド２がヘッド受け部材３から離脱した状態にあって、第１の角度範囲に向けて送風可能な第１状態と、ヘッド２がヘッド受け部材３に収まった状態にあって、前記第１の角度範囲より狭い第２の角度範囲に向けて送風可能な第２状態とをとり得る。【選択図】図５
2018175296.tif 000002
【特許請求の範囲】
【請求項１】
第１開口部を有する本体と、
前記第１開口部から少なくとも一部を出し入れ可能であるホースと、
前記ホースの先端に接続されているヘッドと、
前記本体の上側に設置されており、前記ヘッドを受け入れるためのヘッド受け部材とを備え、
前記ヘッドは、前記ホースを通じて供給されてきた気体を受け入れるように中央下側に配置された受入れ口と、上から見たときに外側に向かって送風可能な吹出し口とを有し、
前記ヘッド受け部材は、前記ヘッドを受け入れたときには前記ヘッドの前記吹出し口の一部を塞ぐ壁を備え、
前記ヘッドおよび前記ヘッド受け部材は、
前記ヘッドが前記ヘッド受け部材から離脱した状態にあって、前記ヘッドを上から見たときに前記吹出し口から第１の角度範囲に向けて送風可能な第１状態と、
前記ヘッドが前記ヘッド受け部材に収まった状態にあって、前記ヘッドを上から見たときに前記吹出し口から前記第１の角度範囲より狭い第２の角度範囲に向けて送風可能な第２状態とをとり得る、送風装置。
【請求項２】
前記ヘッド受け部材は、前記本体の上部に沿って配置された第１姿勢と、
前記ヘッドが前記第２状態であるときに前記第２の角度範囲で送風可能な側に対応する一方の側を、前記本体の上部から持ち上げた第２姿勢と、
前記第２姿勢よりさらに大きく前記一方の側を持ち上げた第３姿勢とをとり得る、請求項１に記載の送風装置。
【請求項３】
前記ヘッド受け部材は、前記ホースの外径より大きな幅を有する切欠きを有し、前記ヘッドは斜め下側に向いて延在する突出部を備え、前記ホースは前記突出部に接続されており、前記第２状態においては、前記突出部は前記切欠きに挿入されている、請求項１または２に記載の送風装置。
【請求項４】
前記ヘッド受け部材は凹形状を有し、前記ヘッドは前記凹形状に対応する凸形状を有する、請求項１から３のいずれかに記載の送風装置。
【請求項５】
前記ホースの前記ヘッドとは反対側の端に円筒部材が接続されており、
前記本体は、前記円筒部材の外径より大きな内径を有して前記円筒部材の軸方向寸法より長い円筒形の内部空間を有する外殻部材を備え、前記円筒部材は前記内部空間に収容され、前記外殻部材の前記ホースの前記ヘッドに近い側の端は、前記円筒部材の外径より小さく前記ホースの外径より大きい内径の第２開口部を有する、請求項１から４のいずれかに記載の送風装置。
【請求項６】
前記本体は、前記ヘッドが前記第２状態であるときに送風される側である前側と、前記前側の反対側である後ろ側とを有し、前記ヘッドが前記第２状態であるときに前記ホースが収容されるホース収容部は、前記後ろ側の内部に上下方向に延在するように、配置されている、請求項１から５のいずれかに記載の送風装置。
【請求項７】
前記本体は、前記後ろ側のうち前記ホース収容部を避けた位置に吸込み口を有し、前記本体は、前記吸込み口から吸いこまれた空気を前記ホースへと送り込むファンを備える、請求項６に記載の送風装置。
【発明の詳細な説明】
【技術分野】
【０００１】
本発明は、送風装置に関するものである。
【背景技術】
【０００２】
従来の一般的な布団乾燥機は、掛布団と敷布団との間にエアマットを配置し、このエアマット内に加熱した温風を送り込むことによって各布団を乾燥させる。特開２０１５−１１００３５号公報（特許文献１）では、エアマットを用いない布団乾燥機が開示されている。特許文献１に記載された布団乾燥機は、乾燥機本体に対して吐出部材がヒンジ接続された構成を備える。吐出部材は吐出口を備える。
【先行技術文献】
【特許文献】
【０００３】
【特許文献１】特開２０１５−１１００３５号公報
【発明の概要】
【発明が解決しようとする課題】
【０００４】
特許文献１に記載された布団乾燥機では、吐出部材を掛布団の下側に挿入して温風を供給するもののように見えるが、吐出口が配置される位置は吐出部材の長さによって定まり、掛布団の端から近い位置に限られる。供給される温風は吐出口から前方に向けて吹き出すのみである。このような状況では、掛布団と敷布団との間の空間の全体に均等に温風を供給することは難しく、仮にできたとしても大きな消費電力が必要になってしまう。
【０００５】
そこで、本発明は、掛布団と敷布団との間の空間の全体に均等に温風を供給することが容易な布団乾燥機として使用することができ、なおかつ、他の用途にも使用することができる送風装置を提供することを目的とする。
【課題を解決するための手段】
【０００６】
上記目的を達成するため、本発明に基づく送風装置は、第１開口部を有する本体と、前記第１開口部から少なくとも一部を出し入れ可能であるホースと、前記ホースの先端に接続されているヘッドと、前記本体の上側に設置されており、前記ヘッドを受け入れるためのヘッド受け部材とを備え、前記ヘッドは、前記ホースを通じて供給されてきた気体を受け入れるように中央下側に配置された受入れ口と、上から見たときに外側に向かって送風可能な吹出し口とを有し、前記ヘッド受け部材は、前記ヘッドを受け入れたときには前記ヘッドの前記吹出し口の一部を塞ぐ壁を備え、前記ヘッドおよび前記ヘッド受け部材は、前記ヘッドが前記ヘッド受け部材から離脱した状態にあって、前記ヘッドを上から見たときに前記吹出し口から第１の角度範囲に向けて送風可能な第１状態と、前記ヘッドが前記ヘッド受け部材に収まった状態にあって、前記ヘッドを上から見たときに前記吹出し口から前記第１の角度範囲より狭い第２の角度範囲に向けて送風可能な第２状態とをとり得る。
【発明の効果】
【０００７】
本発明によれば、掛布団と敷布団との間の空間の全体に均等に温風を供給することが容易な布団乾燥機として使用することができ、なおかつ、他の用途にも使用することができる送風装置を実現することができる。
【図面の簡単な説明】
【０００８】
【図１】本発明に基づく実施の形態１における送風装置の斜視図である。
【図２】本発明に基づく実施の形態１における送風装置の正面図である。
【図３】本発明に基づく実施の形態１における送風装置の背面図である。
【図４】本発明に基づく実施の形態１における送風装置の平面図である。
【図５】本発明に基づく実施の形態１における送風装置のホースを少し延ばした状態の斜視図である。
【図６】本発明に基づく実施の形態１における送風装置を布団の乾燥に用いている様子の説明図である。
【図７】本発明に基づく実施の形態１における送風装置に備わるヘッドの斜視図である。
【図８】本発明に基づく実施の形態１における送風装置に備わるヘッドの平面図である。
【図９】本発明に基づく実施の形態１における送風装置に備わるヘッドの下面図である。
【図１０】本発明に基づく実施の形態１における送風装置に備わるヘッドの正面図である。
【図１１】本発明に基づく実施の形態１における送風装置に備わるヘッドの側面図である。
【図１２】本発明に基づく実施の形態１における送風装置に備わるヘッドの背面図である。
【図１３】本発明に基づく実施の形態１における送風装置に備わるヘッドとホースとを組み合わせた状態の斜視図である。
【図１４】本発明に基づく実施の形態１における送風装置からヘッドおよび可動板を取り外した状態の斜視図である。
【図１５】本発明に基づく実施の形態１における送風装置からヘッドおよび可動板を取り外した状態の平面図である。
【図１６】本発明に基づく実施の形態１における送風装置に備わるヘッド受け部材の斜視図である。
【図１７】本発明に基づく実施の形態１における送風装置に備わるヘッド受け部材の平面図である。
【図１８】本発明に基づく実施の形態１における送風装置に備わるヘッド受け部材の正面図である。
【図１９】本発明に基づく実施の形態１における送風装置に備わるヘッド受け部材の側面図である。
【図２０】本発明に基づく実施の形態１における送風装置に備わるヘッド受け部材の背面図である。
【図２１】本発明に基づく実施の形態１における送風装置からヘッドおよびヘッド受け部材を取り外した状態の斜視図である。
【図２２】本発明に基づく実施の形態１における送風装置からヘッドおよびヘッド受け部材を取り外した状態の平面図である。
【図２３】ヘッドがヘッド受け部材から離脱した状態でのヘッドから吹き出す風の進行方向の説明図である。
【図２４】ヘッドがヘッド受け部材に収まった状態でのヘッドから吹き出す風の進行方向の説明図である。
【図２５】本発明に基づく実施の形態１における送風装置によってイオンを含む空気を室内空間に向けて放出している様子の説明図である。
【図２６】本発明に基づく実施の形態２における送風装置が第２姿勢をとっている状態の斜視図である。
【図２７】本発明に基づく実施の形態２における送風装置が第３姿勢をとっている状態の斜視図である。
【図２８】本発明に基づく実施の形態２における送風装置を衣類乾燥機として使用する様子の説明図である。
【図２９】本発明に基づく実施の形態３における送風装置の背面カバーを取り外した状態の斜視図である。
【図３０】本発明に基づく実施の形態３における送風装置の背面カバーを取り外した状態の背面図である。
【図３１】本発明に基づく実施の形態３における送風装置の背面カバーを取り外した状態の断面図である。
【図３２】本発明に基づく実施の形態４における送風装置の本体の内部の構造物の第１の状態の斜視図である。
【図３３】本発明に基づく実施の形態４における送風装置の本体の内部の構造物の第１の状態の側面図である。
【図３４】本発明に基づく実施の形態４における送風装置の本体の内部の構造物の第２の状態の斜視図である。
【図３５】本発明に基づく実施の形態４における送風装置の本体の内部の構造物の第２の状態の側面図である。
【図３６】本発明に基づく実施の形態５における送風装置に備わるヘッドの斜視図である。
【図３７】本発明に基づく実施の形態５における送風装置に備わるヘッドの下面図である。
【図３８】本発明に基づく実施の形態５における送風装置に備わるヘッドの正面図である。
【図３９】本発明に基づく実施の形態５における送風装置に備わるヘッドの側面図である。
【図４０】本発明に基づく実施の形態５における送風装置に備わるヘッドの背面図である。
【図４１】本発明に基づく実施の形態５における送風装置に備わるヘッドに着脱可能な脚を取り付けた状態の斜視図である。
【発明を実施するための形態】
【０００９】
（実施の形態１）
（構成）
図１〜図２４を参照して、本発明に基づく実施の形態１における送風装置について説明する。本実施の形態における送風装置１０１の全体の斜視図を図１に示す。送風装置１０１は、本体１と、ヘッド２と、ヘッド受け部材３とを備える。本体１の上部には操作パネル８が設けられている。送風装置１０１の正面図、背面図、平面図を図２、図３、図４にそれぞれ示す。本体１は上部の左右に２枚の壁１９を有する。２枚の壁１９はヘッド受け部材３を挟むように左右対称に配置されている。図１、図３、図４に示すように、本体１は可動板１８を含む。可動板１８は、本体１の上部に位置し、２枚の壁１９によって挟まれる領域を塞ぐように配置されている。可動板１８は下端に設けられた回転軸により回動可能となっている。図１、図３、図４に示すように、本体１は背面カバー１０を含む。背面カバー１０は、本体１の主に背面側に位置する一部分の領域を覆うように着脱自在に取り付けられている。背面カバー１０には外側吸込み口１３が設けられている。外側吸込み口１３は、多数の小さな開口部によって構成されている。たとえば図３および図４に示すように、本体１のいずれかの箇所から電源ケーブル３７が延在していてもよい。図３および図４においては、電源ケーブル３７は部分的にのみ表示されている。
【００１０】
送風装置１０１において、ホース４を少し延ばした状態を図５に示す。ホース４をさらに延ばして送風装置１０１を布団の乾燥に用いている様子を図６に示す。図６では、敷布団８１と掛布団８２との間にヘッド２が挿入されており、矢印９１に示すようにヘッド２から温風が吹き出す。ホース４は伸縮自在な区間を含む構造であってもよい。ホース４は、たとえば少なくとも一部が蛇腹状であってもよい。
【００１１】
ヘッド２を単独で取り出したところを図７に示す。ヘッド２の平面図を図８に示す。ヘッド２の下面図を図９に示す。ヘッド２の正面図、側面図、背面図を図１０、図１１、図１２にそれぞれ示す。ヘッド２とホース４とを組み合わせたところを図１３に示す。ヘッド２は、上側の外装部材としてヘッドカバー２３を備える。ヘッドカバー２３の下側には吹出し口２２が設けられている。ヘッド２の吹出し口２２より下側は略円錐台形状の部分を備える。この部分は凸形状２６である。ヘッド２は下面に突出部９を備える。突出部９は斜め下に向かって延在している。突出部９は先端に受入れ口２１を有する。突出部９は、ホース４と接続するためのホース取付爪２４を備える。ヘッド２の下側の一方の側には脚部１１が設けられている。脚部１１は、突出部９の外周の一部を覆う。脚部１１は、たとえば図６に示すようにヘッド２を敷布団８１の上に置いて用いる際にヘッド２の姿勢を安定させるためのものである。脚部１１がヘッド２の自重の一部を支えることにより、使用中のヘッド２の転倒をある程度は防ぐことができる。
【００１２】
送風装置１０１からヘッド２および可動板１８を取り外したところを図１４に示す。この状態の平面図を図１５に示す。図１４および図１５では、ホース４の端に設けられたコネクタ４５が見えている。図１５では、本体１の上面に設けられた第１開口部５が見えている。第１開口部５からホース４の一部が外に出ている。
【００１３】
ヘッド受け部材３の斜視図、平面図、正面図、側面図、背面図を図１６、図１７、図１８、図１９、図２０にそれぞれ示す。ヘッド受け部材３は、壁６を備える。ヘッド受け部材３は切欠き７を有する。ヘッド受け部材３は凹形状２７を有する。凹形状２７はいわゆるすり鉢状である。
【００１４】
送風装置１０１からヘッド２およびヘッド受け部材３を取り外したところを図２１に示す。この状態の平面図を図２２に示す。
【００１５】
ヘッド２がヘッド受け部材３から離脱した状態でヘッド２から吹き出す風の進行方向を図２３に示す。ヘッド２がヘッド受け部材３に収まった状態でヘッド２から吹き出す風の進行方向を図２４に示す。図２３では、風は第１の角度範囲４１に向かって進行している。図２４では、風は第２の角度範囲４２に向かって進行している。図２３および図２４では、ヘッド２の内部に配置された壁２５も表示されている。壁２５は直線的なものとして表示しているが、これはあくまで一例に過ぎず、壁２５の形状はこのようなものとは限らない。
【００１６】
ここまでに説明した内容を整理すれば、送風装置１０１の構成の一例を以下のように述べることができる。
【００１７】
送風装置１０１は、第１開口部５を有する本体１と、第１開口部５から少なくとも一部を出し入れ可能であるホース４と、ホース４の先端に接続されているヘッド２と、本体１の上側に設置されており、ヘッド２を受け入れるためのヘッド受け部材３とを備える。ヘッド２は、ホース４を通じて供給されてきた気体を受け入れるように中央下側に配置された受入れ口２１と、上から見たときに外側に向かって送風可能な吹出し口２２とを有し、ヘッド受け部材３は、ヘッド２を受け入れたときにはヘッド２の吹出し口２２の一部を塞ぐ壁６を備える。
【００１８】
ヘッド２およびヘッド受け部材３は、ヘッド２がヘッド受け部材３から離脱した状態にあって、ヘッド２を上から見たときに吹出し口２２から第１の角度範囲４１に向けて送風可能な第１状態と、ヘッド２がヘッド受け部材３に収まった状態にあって、ヘッド２を上から見たときに吹出し口２２から第１の角度範囲４１より狭い第２の角度範囲４２に向けて送風可能な第２状態とをとり得る。
【００１９】
（作用・効果）
本実施の形態における送風装置１０１においては、ヘッド２およびヘッド受け部材３は、第１状態と、第２状態とをとり得るので、第１状態を選択することによって、図６に示すように、ホース４を延ばしてヘッド２を掛布団８２の下に入れることができる。こうすることによって、送風装置１０１は、掛布団８２と敷布団８１との間の空間の全体に均等に温風を供給することが容易な布団乾燥機として使用することができる。一方、ヘッド２およびヘッド受け部材３を第２状態とすることによって、たとえば図２５に示すように、風を室内空間８４に向けて吹き出させることができる。このとき吹き出す風は、温風とは限らず常温の風であってもよい。送風装置１０１は、矢印９４に示すように外側吸込み口１３から空気を取り込み、矢印９５に示すように空気を吹き出すことができる。送風装置１０１の内部にイオン発生器を備えることとし、空気にイオンを付与する機能を持たせてもよい。図２５に示す例では、イオンを含む空気を室内空間８４に向けて放出している。こうすることによって、送風装置１０１は、空気浄化装置として使用することができる。よって、本実施の形態における送風装置１０１は、掛布団と敷布団との間の空間の全体に均等に温風を供給することが容易な布団乾燥機として使用することができ、なおかつ、他の用途にも使用することができる。
【００２０】
本実施の形態で示したように、ヘッド受け部材３は、ホース４の外径より大きな幅を有する切欠き７を有し、ヘッド２は斜め下側に向いて延在する突出部９を備え、ホース４は突出部９に接続されており、前記第２状態においては、突出部９は切欠き７に挿入されていることが好ましい。この構成を採用することにより、ヘッド２をヘッド受け部材３に収容したときには、突出部９が切欠き７に挿入されるので、空間を効率良く利用して全体をコンパクトに収めることができる。
【００２１】
本実施の形態で示したように、ヘッド受け部材３は凹形状２７を有し、ヘッド２は凹形状２７に対応する凸形状２６を有することが好ましい。この構成を採用することにより、ヘッド２をヘッド受け部材３に収めたときには、凸形状２６と凹形状２７との組合せにより多くの面積で互いに当接することができるので、ヘッド受け部材３はヘッド２を安定して支持することができる。
【００２２】
（実施の形態２）
（構成）
図２６〜図２７を参照して、本発明に基づく実施の形態２における送風装置について説明する。本実施の形態における送風装置１０２の基本的な構成は、実施の形態１で説明した送風装置１０１と同様である。送風装置１０２の外観を図２６に示す。
【００２３】
送風装置１０２においては、ヘッド受け部材３は、本体１の上部に沿って配置された第１姿勢と、ヘッド２が前記第２状態であるときに第２の角度範囲４２で送風可能な側に対応する一方の側を、本体１の上部から持ち上げた第２姿勢と、前記第２姿勢よりさらに大きく前記一方の側を持ち上げた第３姿勢とをとり得る。送風装置１０２が第１姿勢をとっているときは、図１に示した送風装置１０１の外観と変わらない。図２６では、送風装置１０２は第２姿勢をとっている。送風装置１０２が第３姿勢をとっている状態を図２７に示す。ヘッド２の一方の側が水平面から持ち上がる角度は、第１姿勢、第２姿勢、第３姿勢において、たとえばそれぞれ０°、２２．５°、４５°であってもよい。ここで示した角度の大きさはあくまで一例であって、他の角度であってもよい。
【００２４】
第１姿勢から第３姿勢までの可逆的な切替えは、本体１の上部とヘッド受け部材３との接続箇所に、公知技術による角度切替え可能な構造を採用することによって実現可能である。具体的には、たとえば第２姿勢および第３姿勢においては、図２６および図２７に示すように、リブ３８によってヘッド２およびヘッド受け部材３を支持することとすればよい。リブ３８は、角度の調整および保持が可能な構造とすればよい。ホース４は一般的に柔軟性のある樹脂などにより形成されているので、ホース４自体の自己保持力のみではヘッド２およびヘッド受け部材３の重量に耐えて姿勢を維持することが難しい場合がある。そこで、ヘッド２およびヘッド受け部材３を支持するようにリブ３８を採用することにより、ヘッド２の姿勢を所望の角度に安定して保持したまま送風することができる。リブ３８の形状を工夫することによって、複数の角度を選択可能とすることができ、それぞれ選択した角度において姿勢を保持することができる。たとえホース４が柔軟であっても、ヘッド２およびヘッド受け部材３の重量はリブ３８によって支持されるので、ヘッド２およびヘッド受け部材３の姿勢が不所望に変動することは防ぐことができる。
【００２５】
（作用・効果）
本実施の形態では、送風装置１０２は、第１姿勢の他に、第２姿勢および第３姿勢もとりうるので、必要に応じて斜め上に向けて送風することもできる。これにより、たとえば図２８に示すように、送風装置１０２より高い位置に吊られた衣類８３に向けて送風することもできる。送風装置１０２から衣類８３に向けて乾燥した風または温風を吹き付けることによって衣類８３の乾燥を促進することができる。すなわち、送風装置１０２は衣類乾燥装置として使用することができる。第１姿勢から第３姿勢のいずれをとるかは、乾燥させたい対象物の位置によって適宜選択すればよい。一般的に、衣類は高い位置に吊られていることが多いので、第２姿勢または第３姿勢を選択できることが好都合である。
【００２６】
なお、本実施の形態では、送風装置のヘッド受け部材３は、第１姿勢から第３姿勢までの３通りの姿勢をとりうるものとしたが、第１姿勢および第２姿勢の２通りの姿勢のみをとりうる構造であってもよい。ヘッド受け部材３は、３通りよりさらに多くの段階で姿勢を切替え可能としてもよい。
【００２７】
（実施の形態３）
（構成）
図２９〜図３１を参照して、本発明に基づく実施の形態３における送風装置について説明する。本実施の形態における送風装置の基本的な構成は、実施の形態１で説明した送風装置１０１または実施の形態２における送風装置１０２と同様である。
【００２８】
本実施の形態における送風装置においては、本体１の背面側に、以下に説明する構造が設けられている。本体１の背面の一部を覆っている背面カバー１０を取り外した状態の斜視図を図２９に示し、背面図を図３０に示す。背面カバー１０を取り外した状態での本体１を、水平な平面で切って上から見たところの断面図を図３１に示す。本体１は、ヘッド２が前記第２状態であるときに送風される側である前側７１と、前側７１の反対側である後ろ側７２とを有する。本体１は、ホース収容部２９を備える。ホース収容部２９は、ヘッド２が前記第２状態であるときにホース４が収容される部分である。ホース収容部２９は、後ろ側７２の内部に上下方向に延在するように、配置されている。
【００２９】
ホース収容部２９の内部に、外殻部材１７が配置されている。外殻部材１７は略円筒形の部材である。ホース４のコネクタ４５（図１４、図１５参照）が付いているのとは反対側の端部は、外殻部材１７の内部に配置されている。図３１においては、ホース４の端部は外殻部材１７の内部で紙面奥手前方向に摺動可能である。図２９〜図３１に示すように、本体１は、吸込み口１４を有する。吸込み口１４は、本体１の背面側の中央を避けて斜め後ろに配置されている。吸込み口１４が中央を避けて設けられているのは、中央にはホース収容部２９が配置されているからである。吸込み口１４には異物の侵入を防ぐために網状の部材が配置されている。吸込み口１４は本体１の左右に対称に設けられているのではなく、左右のうち一方のみに配置されている。図２９に示した例では、吸込み口１４は本体１の左後ろ側に設けられている。本体１の背面側のうち吸込み口１４とは反対の側には、収納空間１５が設けられている。すなわち、この例では、収納空間１５は本体１の右後ろ側に設けられている。収納空間１５には、交換部品１６が収納されている。交換部品１６は、たとえばヘッド２の代わりにホース４の先端に取り付けて使用することができる何らかの部品であってよい。交換部品１６は、送風装置のメンテナンスに用いられる部品であってもよい。
【００３０】
本体１の内部には、モータ３１と、ファン３２とが配置されている。モータ３１が作動することによってファン３２が回転する。ファン３２が回転することによって、吸込み口１４から空気が取り込まれる。図１、図３などに示したように、背面カバー１０の外側吸込み口１３は吸込み口１４に対応する位置に設けられているので、モータ３１が作動したときには、結果的に外側吸込み口１３を通じて外部の空気が本体１内へと取り込まれる。
【００３１】
（作用・効果）
本実施の形態では、本体１の内部の空間を有効活用して収納空間１５が設けられているので、交換部品１６などを効率良く保管することができる。
【００３２】
本実施の形態で示したように、本体１は、後ろ側７２のうちホース収容部２９を避けた位置に吸込み口１４を有し、本体１は、吸込み口１４から吸いこまれた空気をホース４へと送り込むファン３２を備えることが好ましい。この構成を採用することにより、本体１の後ろ側７２において外部の空気を取り込み、円滑にホース４に送り込むことができる。
【００３３】
（実施の形態４）
（構成）
図３２〜図３３を参照して、本発明に基づく実施の形態４における送風装置について説明する。本実施の形態における送風装置の基本的な構成は、実施の形態１〜３のいずれかで説明した送風装置と同様である。
【００３４】
本実施の形態における送風装置においては、以下の構造を備える。本実施の形態における送風装置の本体１の内部の構造物を示す斜視図を図３２に示す。この構造物はいくつかの部品を組み立てたものである。ファン３２（図３１参照）はファン収容部３０に収められている。ファン３２が回転することによって空気が通路３４に送り出される。通路３４に送られた空気は、さらにホース４の内部へと送り込まれる。ホース４の内部に送り込まれた空気は、コネクタ４５を経由してヘッド２に達し、さらにヘッド２の吹出し口２２から外部へと送出される。図３２に示した構造物を側方から見たところを図３３に示す。図３２および図３３においては、説明の便宜のために、外殻部材１７など一部の部材に関しては、部分的に切り欠いた状態で表示している。
【００３５】
外殻部材１７は、下側張出部３５および上側張出部３６を備える。外殻部材１７は、下側張出部３５および上側張出部３６においては内側に向かって張り出した形状となっている。上側張出部３６に囲まれる開口部は、第２開口部２８となっている。ホース４は、第２開口部２８を貫通している。
【００３６】
本実施の形態における送風装置においては、ホース４のヘッド２とは反対側の端に円筒部材４６が接続されている。本体１は、円筒部材４６の外径より大きな内径を有して円筒部材４６の軸方向寸法より長い円筒形の内部空間を有する外殻部材１７を備える。円筒部材４６は外殻部材１７の内部空間に収容される。外殻部材１７のホース４のヘッド２に近い側の端は、円筒部材４６の外径より小さくホース４の外径より大きい内径の第２開口部２８を有する。図３２および図３３においては、円筒部材４６が外殻部材１７の内部で最も下の位置にあり、円筒部材４６の下端は下側張出部３５に当接している。下側張出部３５が設けられていることにより、円筒部材４６の移動可能範囲の下限が規定されている。図３２および図３３では、円筒部材４６はこれよりも下側へは移動できない状態にある。円筒部材４６が上側に最大限に摺動した状態を図３４および図３５に示す。円筒部材４６は第２開口部２８を通過することができない。円筒部材４６の上端は上側張出部３６に当接している。上側張出部３６が設けられていることにより、円筒部材４６の移動可能範囲の上限が規定されている。図３４および図３５では、円筒部材４６はこれよりも上側へは移動できない状態にある。
【００３７】
（作用・効果）
本実施の形態では、ホース４の端部に円筒部材４６が設けられ、これが外殻部材１７の内部で限られた区間のみを摺動するように配置されているので、ホース４が外れて抜けてしまうことを防止することができる。円筒部材４６は外殻部材１７の内部の一定の区間で摺動することができるので、ホース４を第１開口部５から長く引き出したときには、円筒部材４６が外殻部材１７内で移動することによって、第１開口部５から外に出るホース４の長さをより長くすることができる。すなわち、このような円筒部材４６および外殻部材１７が設けられていない場合に比べて、いわゆるホース４のストロークをより長くすることができる。言い換えれば、ヘッド２を本体１から見てより遠くまで届かせることが可能となる。
【００３８】
ホース４の端は円筒部材４６が外殻部材１７の内部に閉じ込められた構造ではあるものの、円筒部材４６が外殻部材１７のいずれかの箇所に接着されているわけではないので、ホース４にねじれるような動きが加わった際には円筒部材４６が外殻部材１７の内部で回転することが可能であり、ホース４に負担がかかることなくホース４は円筒部材４６の中心軸のまわりに何回でも回転することができる。このような回転を許容することにより、ホース４またはその周辺部材がホース４のねじれによって破損する事態を回避することができる。
【００３９】
（実施の形態５）
（構成）
図３６〜図４１を参照して、本発明に基づく実施の形態５における送風装置について説明する。本実施の形態における送風装置の基本的な構成は、実施の形態１〜４のいずれかで説明した送風装置と同様である。
【００４０】
本実施の形態における送風装置においては、以下の構造を備える。本実施の形態における送風装置は、ヘッド２に代えてヘッド２ｉを備える。本実施の形態における送風装置が備えるヘッド２ｉを単独で取り出したところを図３６に示す。ヘッド２ｉの下面図を図３７に示す。ヘッド２ｉの正面図、側面図、背面図を図３８、図３９、図４０にそれぞれ示す。実施の形態１で示したヘッド２は、固定された脚部１１を備えていたが、本実施の形態における送風装置に備わるヘッド２ｉは脚部１１を備えていない。本実施の形態における送風装置のヘッド２ｉを布団などの上に置く際の姿を図４１に示す。本実施の形態における送風装置は、着脱可能な脚１２を備える。脚１２は独立した部品である。脚１２は、ヘッド２ｉの突出部９に取り付けることができる。脚１２を取り付けた状態では、図４１に示すように、ヘッド２ｉはある程度安定して自立することができる。脚１２は、使用しないときには収納空間１５（図２９〜図３１参照）に収納されていてもよい。
【００４１】
（作用・効果）
本実施の形態では、ヘッド２ｉに対して着脱可能な脚１２を備えることとしているので、ヘッド２ｉから脚１２を取り外した状態では、図３６〜図４０に示すように、ヘッド２ｉの下部に突出物が少ない状態とすることができ、ヘッド２ｉをヘッド受け部材３に収めたときにすっきりしたデザインとすることができる。
【００４２】
なお、上記各実施の形態では、ヘッド２が上から見て円形である例を示したが、ヘッド２は上から見て円形以外の形状であってもよい。ヘッドカバー２３はたとえば樹脂で形成されていてよい。
【００４３】
操作パネル８は本体１の上部の前側に配置されているものとして説明したが、操作パネル８の位置、形状、サイズは、ここで示したものに限らない。
【００４４】
上記各実施の形態で説明した送風装置は、たとえばＷｉ−Ｆｉ機能のような無線通信機能を備えていてもよい。送風装置は、スマートフォンなどの携帯端末を用いて送信する指示を受け付けられるようにしてもよい。このようになっていれば、ユーザは、たとえば自宅内に設置された送風装置に対して、たとえば外出先から動作開始の指示を送ることができる。動作のＯＮ／ＯＦＦの指示のみならず、動作時間の長さの設定や動作種類の選択をできるようにしてもよい。携帯端末などから指示を受けた送風装置は、たとえばユーザが帰宅する前から動作を開始することができる。これにより、たとえばこの送風装置を布団乾燥機として使用する場合、ユーザが帰宅した時点で既に布団が温まっている状態を実現することができる。
【００４５】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００４６】
１  本体、２，２ｉ  ヘッド、３  ヘッド受け部材、４  ホース、５  第１開口部、６  （ヘッド受け部材に設けられた）壁、７  切欠き、８  操作パネル、９  突出部、１０  背面カバー、１１  （固定された）脚部、１２  （着脱可能な）脚、１３  外側吸込み口、１４  吸込み口、１５  収納空間、１６  交換部品、１７  外殻部材、１８  可動板、１９  （本体に設けられた）壁、２１  受入れ口、２２  吹出し口、２３  ヘッドカバー、２４  ホース取付爪、２５  （ヘッドの内部に設けられた）壁、２６  凸形状、２７  凹形状、２８  第２開口部、２９  ホース収容部、３０  ファン収容部、３１  モータ、３２  ファン、３４  通路、３５  下側張出部、３６  上側張出部、３７  電源ケーブル、３８  リブ、４１  第１の角度範囲、４２  第２の角度範囲、４５  コネクタ、４６  円筒部材、７１  前側、７２  後ろ側、８１  敷布団、８２  掛布団、８３  衣類、８４  室内空間、９１，９２，９３，９４，９５  矢印、１０１，１０２  送風装置。
【図１】
2018175296.tif 000003
【図２】
2018175296.tif 000004
【図３】
2018175296.tif 000005
【図４】
2018175296.tif 000006
【図５】
2018175296.tif 000007
【図６】
2018175296.tif 000008
【図７】
2018175296.tif 000009
【図８】
2018175296.tif 000010
【図９】
2018175296.tif 000011
【図１０】
2018175296.tif 000012
【図１１】
2018175296.tif 000013
【図１２】
2018175296.tif 000014
【図１３】
2018175296.tif 000015
【図１４】
2018175296.tif 000016
【図１５】
2018175296.tif 000017
【図１６】
2018175296.tif 000018
【図１７】
2018175296.tif 000019
【図１８】
2018175296.tif 000020
【図１９】
2018175296.tif 000021
【図２０】
2018175296.tif 000022
【図２１】
2018175296.tif 000023
【図２２】
2018175296.tif 000024
【図２３】
2018175296.tif 000025
【図２４】
2018175296.tif 000026
【図２５】
2018175296.tif 000027
【図２６】
2018175296.tif 000028
【図２７】
2018175296.tif 000029
【図２８】
2018175296.tif 000030
【図２９】
2018175296.tif 000031
【図３０】
2018175296.tif 000032
【図３１】
2018175296.tif 000033
【図３２】
2018175296.tif 000034
【図３３】
2018175296.tif 000035
【図３４】
2018175296.tif 000036
【図３５】
2018175296.tif 000037
【図３６】
2018175296.tif 000038
【図３７】
2018175296.tif 000039
【図３８】
2018175296.tif 000040
【図３９】
2018175296.tif 000041
【図４０】
2018175296.tif 000042
【図４１】
2018175296.tif 000043